(57)【要約】【課題】電子ペン専用用紙の印刷インキに蛍光体を混入させて、コピー機による複製を早期に発見し、拡大を防止することを目的とする。【解決手段】前記課題の目的を達成するために、撮像部を内蔵する電子ペンで読み取られるためのドットパターンが印刷された電子ペン専用用紙であって、前記印刷されたドットパターンは、紫外線または赤外線により可視光を発光する蛍光体を含むインキで印刷された電子ペン専用用紙を提供する。【選択図】  図１
2007245526.tif 000002
【特許請求の範囲】
【請求項１】
撮像部を内蔵する電子ペンで読み取られるためのドットパターンが印刷された電子ペン専用用紙であって、
前記印刷されたドットパターンは、紫外線または赤外線により可視光を発光する蛍光体を含むインキで印刷されたことを特徴とする電子ペン専用用紙。
【請求項２】
撮像部を内蔵する電子ペンで読み取られるためのドットパターン、および、文字，図表，罫線，図表，イラストが印刷された電子ペン専用用紙であって、
前記印刷された文字，図表，罫線，図表，イラストの少なくとも一つが紫外線または赤外線により可視光を発光する蛍光体を含むインキで印刷されたことを特徴とする電子ペン専用用紙。
【請求項３】
請求項１〜２に記載の電子ペン専用用紙において、
紫外線または赤外線により可視光を発光する蛍光体は、印刷インキ中に０．０５質量％以上含有されたことを特徴とする電子ペン専用用紙。
【発明の詳細な説明】
【技術分野】
【０００１】
本発明は、電子ペン専用用紙に関し、詳しくは、電子ペン専用用紙が不正に使用されないように電子ペン専用用紙に印刷された印刷インキに蛍光体を混入させた電子ペン専用用紙に関する。
【背景技術】
【０００２】
従来、申込書、申請書などの各種書類を提出する場合、所定の印刷が施された申込用紙に申込者が筆記具で必要事項を記入して提出していた。
近年では、インターネットで取得した上述の帳票をプリントして、必要事項を記載して郵送で提出したり、表示された帳票に直接データを入力して送信して提出するなど、書類の提出方法の選択肢が広がってきている。
【０００３】
しかしながら、申込を希望する者がすべて、上述のようにインターネットによって検索した帳票をプリントして使用したり、検索した帳票に画面上で直接データを入力して送信し、提出できるわけではない。特に、年配者やパーソナルコンピュータに不慣れな者は、キーボードによる入力に対して先ず拒否反応を示す。
その結果、役所や金融機関などでは、結局、従来から行われている紙の帳票に記載して提出させる方法を残さなければならない。しかしながら、近年、このような対象者に対して、便利な入力システムが提供されている。それは、スウェーデンの「Ａｎｏｔｏ社」が開発したシステムで、アノトペンと呼ばれる電子ペン（以下、単に、電子ペンという）と所定のドットパターンが印刷された電子ペン専用用紙を使用するシステムである。
電子ペンは、通常の筆記部と、電子ペン専用用紙の記載面に印刷されたドットパターンを読み取るための撮像部と、Ｂｌｕｅｔｏｏｔｈ，または、ＵＳＢ対応の通信部等を搭載している。
電子ペンは、記載者が電子ペン専用用紙の上に電子ペンで文字などを記載すると、ペンの移動に伴って電子ペンの撮像部が電子ペン専用用紙上のドットパターンを読み取り、利用者が記載した文字などの入力データを電子データとして記憶する。
この入力データは、例えば、Ｂｌｕｅｔｏｏｔｈ対応の通信ユニットにより、電子ペンから近くのパーソナルコンピュータや携帯電話などの通信端末に送信される。
キーボードに抵抗を感じる対象者でも、電子ペンを使用する前述のシステムは、電子ペンがキーボードの役割を果たすために何の抵抗感を抱くことなく使用することができる。
一方、システムを提供する役所や金融機関などでは、電子ペンを使用したシステムによって送信された入力データは、パーソナルコンピュータなどから送信されたデータと同様に扱えるために、入力された情報の再入力を行う必要がなくなる。
【０００４】
このような電子ペンを使用したシステムで、電子ペン専用用紙上の複数回記載する部分に透明な材料で保護層を形成する「電子ペン専用用紙」が提供されている（例えば、特許文献１参照）。
【０００５】
【特許文献１】特開２００５−５６３５７号公報
【発明の開示】
【発明が解決しようとする課題】
【０００６】
特許文献１に記載の内容によれば、電子ペン専用用紙の一部に、透明性保護部材を設けることによって繰り返し記載される部分を保護しようというものであるが、特許文献１に記載された技術を含めて、電子ペン専用用紙のコピーによる不正対策が取られていない。
近年、コピー機やスキャナーの性能が向上しているため、一枚の電子ペン専用用紙があれば、その場で、使用可能な電子ペン専用用紙が複製されてしまう。しかも、複製されたものと本物が近似なため、複製されたものをチェックすることができない。
そこで本発明の電子ペン専用用紙は、電子ペン専用用紙の印刷インキに蛍光体を混入させて、コピー機による複製を早期に発見し、拡大を防止しようとするものである。
【課題を解決するための手段】
【０００７】
前記課題の目的を達成するために、本発明の電子ペン専用用紙の第一の態様は、撮像部を内蔵する電子ペンで読み取られるためのドットパターンが印刷された電子ペン専用用紙であって、前記印刷されたドットパターンは、紫外線または赤外線により可視光を発光する蛍光体を含むインキで印刷されたことを特徴とするものである。
【０００８】
また、第二の態様は、撮像部を内蔵する電子ペンで読み取られるためのドットパターン、および、文字，図表，罫線，イラストが印刷された電子ペン専用用紙であって、前記印刷された文字，図表，罫線，図表，イラストの少なくとも一つが紫外線または赤外線により可視光を発光する蛍光体を含むインキで印刷されたことを特徴とするものである。
【０００９】
また、第三の態様は、第一，第二の態様において、紫外線または赤外線により可視光を発光する蛍光体は、印刷インキ中に０．０５質量％以上含有されたことを特徴とするものである。
【発明の効果】
【００１０】
１）第一の態様のように、撮像部を内蔵する電子ペンで読み取られるためのドットパターンが印刷された電子ペン専用用紙であって、前記印刷されたドットパターンは、紫外線または赤外線により可視光を発光する蛍光体を含むインキで印刷されたことによって、コピー機による複製を早期に発見することができ、拡大を防止することができる。
２）また、第二の態様のように、撮像部を内蔵する電子ペンで読み取られるためのドットパターン、および、文字，図表，罫線，イラストが印刷された電子ペン専用用紙であって、前記印刷された文字，図表，罫線，イラストの少なくとも一つが紫外線または赤外線により可視光を発光する蛍光体を含むインキで印刷されたことによって、蛍光インキの使用量を低減することができ、コストダウンを図ることができる。
３）また、第三の態様のように、第一，第二の態様において、紫外線または赤外線により可視光を発光する蛍光体は、印刷インキ中に０．０５質量％以上含有されたことによって、明るい場所でも発光部の発光を確認することができる。
【発明を実施するための最良の形態】
【００１１】
以下、図面を参照して、本発明の電子ペン専用用紙について説明する。
図１は、電子ペンと本発明の電子ペン専用用紙の一例について説明するための図，図２は、本発明の電子ペン専用用紙の一例について説明するための図，図３は、本発明の電子ペン専用用紙の他の一例について説明するための図，図４は、電子ペンの一例について説明するための図，図５は、電子ペン読み取り専用のドットパターンについて説明するための図，である。
【００１２】
図１を参照して、電子ペンと本発明の電子ペン専用用紙の一例について説明する。
この項では、電子ペンを使用した前述の「Ａｎｏｔｏ社」のシステムの概要について併せて説明する。
図に示す例では、電子ペン専用用紙１は、通常紙の表面に、文字１１，罫線１２，図形（チェックボックス）１３、及び、撮像部を内蔵する電子ペン２で読み取られるためのドットパターン１０が印刷されている。
電子ペン専用用紙１は、ドットパターンのみが印刷されて使用される場合と、図のように、文字、罫線，図形などが一緒に印刷されて使用される場合がある。
ドットパターン１０は、電子ペンの撮像部で読み取られ、筆記部で記載された文字や図形がドットパターンのストローク座標情報（以下、単に、座標情報という）として電子化され、記憶部に記憶される。
【００１３】
図１に示す電子ペン専用用紙１の例は、ノートの一ページ分に相当し、複数のページに共通のドットパターン構成で印刷されている。
即ち、「Ｄａｔｅ」と印刷された右側に日付を記載すると、そこに印刷されたドットパターン構成によって日付が記載されたことがわかるようになっており、記載された情報は、日付情報として取り扱われる。
罫線２１の内側も同様、本文情報記載欄であることがわかるようになっており、罫線の内側に記載された情報は、本文情報として取り扱われる。
下端の部分の、罫線の外側エリアにはチェックボックス１３が印刷されており、チェックボックスの内側に印刷されたドットパターンが電子ペンの撮像部で読み取られると、記憶部に記憶されている記載内容が通信端末（図示せず）に送信される。
チェックボックス１３は、電子ペンの通信部が「Ｂｌｕｅｔｏｏｔｈ」対応になっているか、「ＵＳＢ」対応になっているかで、使い分けられるようになっている。
【００１４】
電子ペン２に使用される光源は、赤外領域の光源である場合が多く、電子ペン読み取り専用のドットパターンは、赤外領域では反射率が低いインキによって印刷され、ドットパターンが印刷されている面の、文字，図形または図表，罫線，イラストなどは、赤外領域で反射率が高いインキによって印刷される。そして、文字，図形または図表，罫線，イラストなどが２以上の組み合わせで印刷される場合は、コストを安くするために、多くの場合、同一の印刷インキで印刷される。
本発明の、電子ペン専用用紙１で印刷される前記文字，図形，罫線，イラスト及びドットパターンの何れかの印刷インキには蛍光体が混入されて使用される。
【００１５】
ここで、図１を一部参照して、電子ペンと電子ペン専用用紙を使用する「Ａｎｏｔｏ社」のシステムの一例について説明する。
電子ペン２は、通常の筆記部と、電子ペン専用用紙１の情報記載面に印刷されたドットパターン１０を読み取るための撮像部（図示せず）と、通信部（図示せず）等を搭載している。
電子ペン２は、記載者が電子ペン専用用紙１の記載面に電子ペンで文字などを記載すると、ペンの移動に伴って電子ペンに内蔵された撮像部が、ドットパターン１０によって表示された座標情報を読み取り、通信部が、接続された通信端末（図示せず）に読み取った座標情報を送信する。
通信端末が受信した前記座標情報は、ネット上で接続された電子ペンシステム管理サーバ（図示せず）に送信される。電子ペンシステム管理サーバでテキストデータに変換された前記座標情報は、利用者側のサーバや、前記通信端末に返信される。
通信端末内に電子ペンシステム管理サーバ機能が内蔵されている場合は、電子ペンシステム管理サーバ機能によってテキストデータに変換される。
【００１６】
先ず、図４を参照して、電子ペン２について説明する。
電子ペン２は、インクカートリッジ２０８を伴った筆記部２０６，ドットパターンを読み取るデジタルカメラによる撮像部２０５，デジタルカメラで読み取られた筆記情報（ドットパターンの座標情報）を記憶する記憶部２０３，携帯通信端末に座標情報を送信する通信部２０２，これらの機能を制御する制御部２０４，電子ペン用の圧力センサ２０７，図示しないが電源部，で構成され、これらを電子ペン２の筐体２０１の内部に搭載している。
電子ペン２は、電子ペン専用用紙に印刷されたドットパターン情報を撮像部２０５で読み取って記憶部２０３で記憶し、図示しないが、電子ペンのユニークな識別情報などと共に通信部２０２から携帯通信端末２に送信する。
通信部２０２は、ＵＳＢ（Ｕｎｉｖｅｒｓａｌ  Ｓｅｒｉａｌ  Ｂｕｓ）対応、または、Ｂｌｕｅｔｏｏｔｈ対応となっている。
また、電子ペン２の筐体２０１に組み込まれた筆記部２０６は、単なる筆記具として使用することもできるようになっている。
【００１７】
筆記部２０６は、筆記情報を可視状態で記載部に残す役割の他に、デジタルカメラによる撮像部２０５と、ドットパターン印刷面との距離を一定にする役割を担っている。
筆記部２０６が電子ペン筐体２０１に装着されたときに、インクカートリッジ２０８側の先端が、電子ペン筐体２０１に取り付けられた電子ペン用の圧力センサ２０７に接触するようになっている。
この圧力センサ２０７は、情報の記載が開始されることを制御部２０４に伝える機能と、筆圧の強弱を認識する機能を備えている。
また、インクカートリッジ２０８の残量を確認する場合、または、インクを充填する場合は、例えば、筆記部２０６を電子ペン筐体２０１の先端から引き抜いてインクの残量確認、または、インクの充填を行う。
【００１８】
図５を参照して、電子ペン専用用紙に印刷された電子ペン専用のドットパターンについて説明する。図に示す縦横の仮想線は、説明し易くするために記載しており、実際には印刷されていない。
電子ペン読み取り専用のドットパターン１０００の各ドットは、０．３ｍｍ間隔で形成された直角に交わる縦横の仮想線の交点近傍に、それぞれ異なる４方向の何れかに配置され、形成されている。
前述の「Ａｎｏｔｏ社」のシステムでは、３６個のドット（約４ｍｍ2の内側に印刷されたドット群）を１単位情報として扱っている。
【００１９】
電子ペンで、電子ペン専用用紙上に文字等を記載すると、ペン先がどの位置をなぞっているか、その近傍に印刷されたドットパターンの座標情報を読み取って、ペン先が移動した単位情報の軌跡を電子ペンの記憶部に記憶するようになっている。
電子ペン専用用紙の所定部を電子ペンでマークをすると、電子ペン専用用紙に記載した前記座標情報を電子ペンから通信端末の送信するようになっている。
「Ａｎｏｔｏ社」のシステムでは、一つのアプリケーションには、同一のドットパターンが利用されないように管理される。
【００２０】
前述の電子ペンシステム管理サーバについて説明する。
電子ペンシステム管理サーバは、多くの場合、ＰＬＳサーバと、ＡＳＨサーバに分けられて使用される。
通信端末から送信された座標情報は、まず、ＰＬＳ（Ｐａｐｅｒ  Ｌｏｏｋ−ｕｐ  Ｓｅｒｖｉｃｅ）と呼ばれる電子ペンシステム管理サーバに送信される。
ＰＬＳサーバは、受信したドットパターンの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）と座標情報を通信端末に送信する。
【００２１】
前述の通信端末について説明する。
通信端末は、例えば、キーボードなどの入力手段，インターネットに接続されて入力情報を送受信する送受信手段，ディスプレイなどの表示手段，入力情報や読み込んだ情報を保存する保存手段とを有する携帯電話，ＰＤＡ（Ｐｅｒｓｏｎａｌ  Ｄｉｇｉｔａｌ  Ａｓｓｉｓｔａｎｃｅ），パーソナルコンピュータのような装置である。
通信端末は、前述のように、電子ペン２から送信された情報を電子ペンシステム管理サーバに送信し、テキストデータなどに変換された情報として受信し、利用する。
【００２２】
図２を参照して、本発明の電子ペン専用用紙の一例について説明する。
図に示す電子ペン専用用紙の例は、図１の右下の電子ペン専用用紙の一部１００を切り取って紫外線、または、赤外線を照射した際の可視パターンを示している。
前記可視パターンは、ドットパターン１０の印刷インキの中に混入させた蛍光体が発光している状態を示している。
図２に示す例は、一緒に印刷されている罫線，チェックボックス，「ＵＳＢ」の文字などは発光していない。即ち、図の電子ペン専用用紙の場合は、電子ペン専用用紙に印されているインキのドットパターンの印刷に使用されたインキにのみ蛍光体が混入された例である。
【００２３】
図３を参照して、本発明の電子ペン専用用紙の他の一例について説明する。
図に示す電子ペン専用用紙の例は、図１の右下の電子ペン専用用紙の一部１００を切り取って紫外線、または、赤外線を照射した際の可視パターンを示している。
前記可視パターンは、罫線１２とチェックボックス１３（「ＵＳＢ」の文字を含む）の印刷インキの中に混入させた蛍光体が発光している状態を示している。
図３に示す例は、一緒に印刷されているドットパターンは発光していない。即ち、図の電子ペン専用用紙の場合は、電子ペン専用用紙に印されているインキの罫線１２とチェックボックス１３（「ＵＳＢ」の文字を含む）の印刷に使用されたインキに蛍光体が混入された例である。
【００２４】
ここで、印刷インキに混入される蛍光体（紫外線発光蛍光剤、及び、赤外線発光蛍光剤）について説明する。
ベースとなる印刷インキには、例えば、紫外線乾燥型のプロセスインキ、または、これらのインキによって色合せされたインキを使用する。
また、ドットパターン印刷インキのベースとなる印刷インキには、電子ペンの撮像部の光源波長域で吸収されるタイプの市販されている紫外線乾燥型のインキを使用する。
【００２５】
紫外線発光蛍光剤は、紫外線により励起され、発光するスペクトルのピークが青，緑，赤等の波長域にあるものであり、硫化亜鉛やアルカリ土類金属の硫化物の高純度蛍光体に
発光をより強くするために付活剤を加えて高温焼成によって得る。
付活剤として、微量の銅，銀，マンガン，ビスマスなどの金属を使用する。
【００２６】
赤外線発光蛍光剤として、赤外光で励起され可視光に発光する赤外可視変換蛍光剤がある。前記赤外可視変換蛍光剤を発光させるために、エネルギーの小さな赤外線の光子を複数個用いることによって可視発光の励起を行う。
励起のタイプとして、付活剤イオンの中の多段階の励起によって行うタイプと、増感剤からの複数回の共鳴エネルギー伝達によって行うタイプがある。
これら、紫外線発光蛍光剤，赤外線発光蛍光剤共に市販の蛍光体を使用し、前述のようにプロセスインキに０．０５〜１質量％の範囲で混入させて使用する。
【００２７】
（実施例）
紫外線発光蛍光剤入りドットパターン印刷用インキとして、紫外線乾燥型オフセット用インキＵＶ／ＢＦ／ＳＧ（ザ・インクテック製）に紫外線発光蛍光剤として、UV無色蛍光メジウムインキ（ザ・インクテック製）を１％添加した（ドットパターン印刷用インキに対する蛍光体の含有量は０．１質量％）。
赤外線発光蛍光剤入りドットパターン印刷用インキとして、紫外線乾燥型オフセット用インキＵＶ／ＢＦ／ＳＧ（ザ・インクテック製）に赤外可視変換蛍光剤としてUV M SDP 10メジウムインキ（ザ・インクテック製）を１％添加した（ドットパターン印刷用インキに対する蛍光体の含有量は０．１質量％）。
また、判定具として、市販の波長３６０ｎｍの紫外線照射ランプ（東芝製）、および、市販の波長９８０ｎｍの赤外線照射ランプ（ジャパンシステム製）を用いた。
紫外線発光蛍光剤を混ぜ合わせたものは、紫外線照射によって紫色に発光し、赤外可視変換蛍光剤を混ぜ合わせたものは、赤外照射によって緑色に発光した。
【産業上の利用可能性】
【００２８】
電子ペン専用用紙の不正使用のチェックに利用できる。
【図面の簡単な説明】
【００２９】
【図１】電子ペンと本発明の電子ペン専用用紙の一例について説明するための図である。
【図２】本発明の電子ペン専用用紙の一例について説明するための図である。
【図３】本発明の電子ペン専用用紙の他の一例について説明するための図である。
【図４】電子ペンの一例について説明するための図である。
【図５】電子ペン読み取り専用のドットパターンについて説明するための図である。
【符号の説明】
【００３０】
１      電子ペン専用用紙
２      電子ペン
１０    ドットパターン
１１    文字
１２    罫線
１３    図形、または、チェックボックス
１００  電子ペン専用用紙の一部
２０１  筐体
２０２  通信部
２０３  記憶部
２０４  制御部
２０５  撮像部
２０６  筆記部
２０７  圧力センサ
２０８  インクカートリッジ
１０００  ドットパターン
【図１】
2007245526.tif 000003
【図２】
2007245526.tif 000004
【図３】
2007245526.tif 000005
【図４】
2007245526.tif 000006
【図５】
2007245526.tif 000007